(57)【要約】【課題】誘電体基材２２の配設位置をずらして共振周波数を調整するアンテナ装置の調整方法を提供する。【解決手段】導電体ベースの上に、偏平で全体の外形が略矩形で中央部に空きスペースを設けて上から見て２つに分割して２つの対向する略コ字状で間隔を設けて誘電体基材２２を配設し、その上面に略矩形の放射電極１４を辺が略平行に配設して放射電極１４の周辺部を略環状に支持する。放射電極１４の対向する２つの隅を面取り状に切り落とし、対角線方向が電流の励振方向となるように放射電極１４の中央位置ｐより１つの辺側にずらして給電端子１６を設ける。放射電極１４の中央位置ｐと給電端子１６を通る方向の放射電極１４の２つの辺を支持するように略コ字状の誘電体基材２２を配設する。誘電体基材２２の略コ字状の１つまたは２つの部材の配設位置を、放射電極１４の中央位置ｐと給電端子１６を通る方向にずらして、共振周波数を調整する。【選択図】  図２
2010148054.tif 000002
【特許請求の範囲】
【請求項１】
ＧＮＤ電極としての導電体ベースの上に、偏平で全体の外形が略矩形で中央部に空きスペースを設けるとともに上から見て２つに分割して２つの対向する略コ字状として対向する端部の間に間隔を設けて誘電体基材を配設し、この誘電体基材の上面に略矩形の放射電極をその辺が前記誘電体基材の辺と略平行となるように配設して前記誘電体基材で前記放射電極の周辺部を略環状に支持するようにし、前記放射電極の１つの隅または対向する２つの隅を面取り状に僅かに切り落とし、前記放射電極の対角線方向が電流の励振方向となるように前記放射電極の中央位置より１つの辺側にずらして給電端子を設け、前記放射電極の中央位置と前記給電端子を通る方向の前記放射電極の２つの辺を支持するように略コ字状の前記誘電体基材を配設したアンテナ装置において、前記放射電極に対して前記誘電体基材の前記略コ字状の１つまたは２つの部材の配設位置を、前記放射電極の中央位置と前記給電端子を通る方向にずらして、共振周波数を調整することを特徴としたアンテナ装置の調整方法。
【請求項２】
ＧＮＤ電極としての導電体ベースの上に、偏平で全体の外形が略矩形で中央部に空きスペースを設けるとともに上から見て２つに分割して２つの対向する略コ字状として対向する端部の間に間隔を設けて誘電体基材を配設し、この誘電体基材の上面に略矩形の放射電極をその辺が前記誘電体基材の辺と略平行となるように配設して前記誘電体基材で前記放射電極の周辺部を略環状に支持するようにし、前記放射電極の１つの隅または対向する２つの隅を面取り状に僅かに切り落とし、前記放射電極の対角線方向が電流の励振方向となるように前記放射電極の中央位置より１つの辺側にずらして給電端子を設け、前記放射電極の中央位置と前記給電端子を通る方向に対して直交する方向の前記放射電極の２つの辺を支持するように略コ字状の前記誘電体基材を配設したアンテナ装置において、前記放射電極に対して前記誘電体基材の前記略コ字状の１つまたは２つの部材の配設位置を、前記放射電極の中央位置と前記給電端子を通る方向に対して直交する方向にずらして、共振周波数を調整することを特徴といたアンテナ装置の調整方法。
【発明の詳細な説明】
【技術分野】
【０００１】
本発明は、導電体ベースの上に偏平な誘電体基材を配設し、その誘電体基材の上面に放射電極を配設した平面型のアンテナ装置において、共振周波数の調整方法に関するものである。
【背景技術】
【０００２】
従来の平面型のアンテナ装置にあっては、図４７に示すごとく、ＧＮＤ電極としての導電体ベース１０の上に、偏平で上から見て外形が矩形で、その中央部に空きスペースを設けた環状の誘電体基材１２が配設され、その誘電体基材１２の上面で支持するようにして略矩形の放射電極１４が配設され、給電端子１６が放射電極１４の適宜な位置に配設されて構成されている。かかる技術が、特開２００５−５１５７６号公報等に示されている。
【特許文献１】特開２００５−５１５７６号公報
【発明の開示】
【発明が解決しようとする課題】
【０００３】
上記の特許文献１等で提案された図４７に示す従来の技術にあっては、誘電体基材１２は環状であり、その中央部に空きスペースが設けられているので、その分だけ誘電体の素材の量が少なくて足りる。ところで、誘電体基材１２は、製造ロット毎にその誘電率にバラツキを生じて共振周波数が変化する虞がある。そこで、従来にあっては、誘電体基材１２の誘電率のバラツキによる共振周波数の変化に対して、放射電極１４に切り欠きを設けたり削ったりするなどして調整がなされている。この共振周波数の調整作業が繁雑であるとともに、放射電極１４に切り欠きを設けまたは削ることで生ずる削りかすを確実に除去する作業も繁雑であった。
【０００４】
そこで、本発明は、上述のごとき事情に鑑みてなされたもので、誘電体基材の誘電率のバラツキによる共振周波数の変化に対して、誘電体基材を配設する位置をずらして簡単に調整できるアンテナ装置の調整方法を提供することを目的とする
【課題を解決するための手段】
【０００５】
かかる目的を達成するために、本発明のアンテナ装置の調整方法は、ＧＮＤ電極としての導電体ベースの上に、偏平で全体の外形が略矩形で中央部に空きスペースを設けるとともに上から見て２つに分割して２つの対向する略コ字状として対向する端部の間に間隔を設けて誘電体基材を配設し、この誘電体基材の上面に略矩形の放射電極をその辺が前記誘電体基材の辺と略平行となるように配設して前記誘電体基材で前記放射電極の周辺部を略環状に支持するようにし、前記放射電極の１つの隅または対向する２つの隅を面取り状に僅かに切り落とし、前記放射電極の対角線方向が電流の励振方向となるように前記放射電極の中央位置より１つの辺側にずらして給電端子を設け、前記放射電極の中央位置と前記給電端子を通る方向の前記放射電極の２つの辺を支持するように略コ字状の前記誘電体基材を配設したアンテナ装置において、前記放射電極に対して前記誘電体基材の前記略コ字状の１つまたは２つの部材の配設位置を、前記放射電極の中央位置と前記給電端子を通る方向にずらして、共振周波数を調整する。
【０００６】
また、ＧＮＤ電極としての導電体ベースの上に、偏平で全体の外形が略矩形で中央部に空きスペースを設けるとともに上から見て２つに分割して２つの対向する略コ字状として対向する端部の間に間隔を設けて誘電体基材を配設し、この誘電体基材の上面に略矩形の放射電極をその辺が前記誘電体基材の辺と略平行となるように配設して前記誘電体基材で前記放射電極の周辺部を略環状に支持するようにし、前記放射電極の１つの隅または対向する２つの隅を面取り状に僅かに切り落とし、前記放射電極の対角線方向が電流の励振方向となるように前記放射電極の中央位置より１つの辺側にずらして給電端子を設け、前記放射電極の中央位置と前記給電端子を通る方向に対して直交する方向の前記放射電極の２つの辺を支持するように略コ字状の前記誘電体基材を配設したアンテナ装置において、前記放射電極に対して前記誘電体基材の前記略コ字状の１つまたは２つの部材の配設位置を、前記放射電極の中央位置と前記給電端子を通る方向に対して直交する方向にずらして、共振周波数を調整しても良い。
【発明の効果】
【０００７】
請求項１および２記載のアンテナ装置の調整方法にあっては、誘電体基材の誘電率のバラツキにより共振周波数が低い方にずれれば、誘電体基材の略コ字状の１つまたは２つの部材の配設位置を外側に拡大することで、共振周波数を高くして所定の周波数に調整できる。また、共振周波数が高い方にずれれば、誘電体基材の略コ字状の１つまたは２つの部材の配設位置を内側に狭めることで、共振周波数を低くして所定の周波数に調整できる。誘電体基材の配設位置をずらすだけで共振周波数を所定の周波数に調整できるので、従来のごとく、放射電極を切り欠きまたは削る作業を必要とせず、さらには放射電極を切り欠きまたは削ることで生ずる削りかすが生じない。当然に、この削りかすを除去する手間も省ける。
【発明を実施するための最良の形態】
【０００８】
まず、本発明のアンテナ装置の調整方法の第１実施例で用いるアンテナ装置につき、図１を参照して説明する。図１は、第１実施例で用いるアンテナ装置の外観斜視図である。
【０００９】
図１に示す第１実施例で用いるアンテナ装置は、ＧＮＤ電極としての導電体ベース１０の上に、偏平で上から見て外形が全体として略矩形でその中央部に空きスペースが設けられた環状で、しかも上から見て２つに分割されて２つの対向する略コ字状とされて対向する端部の間に間隔を設けて誘電体基材２２、２２が配設される。そして、略矩形の放射電極１４は、略矩形の１つの対角線の対向する２つの隅が面取り状に僅かに切り落とされ、放射電極１４の中央位置ｐより１つの辺側にずらして給電端子１６が設けられて、放射電極１４の対角線方向が電流の励振方向となるように構成されている。この放射電極１４が、その辺が誘電体基材２２、２２の全体で略矩形の辺と略平行となるようにして、誘電体基材２２、２２の２つの略コ字状の上面で放射電極１４の周辺部を略環状に支持するように配設される。しかも、放射電極１４の中央位置ｐと給電端子１６を通る方向の放射電極１４の２つの辺を支持するように誘電体基材２２、２２の略コ字状の部材が配設されている。なお、誘電体基材２２、２２の略コ字状の部材の寸法は、一例として、略コ字状の中央部材が３０．０ｍｍで両側部材が１２．５ｍｍで、対向する略コ字状の端部の間の間隔が５．０ｍｍである。
【００１０】
かかる構造のアンテナ装置を用いて、第１実施例の調整方法について説明する。図２は、放射電極１４と誘電体基材２２、２２を上から見た図であり、共振周波数を調整するために位置をずらす誘電体基材２２、２２の略コ字状の部材を示す。図２に示すごとく、放射電極１４の中央位置ｐと給電端子１６を通る方向で、誘電体基材２２、２２の給電端子１６が設けられたのとは反対側の１つの略コ字状の部材（図２において、上側の略コ字状の部材）を、放射電極１４の中央位置ｐと給電端子１６を通る方向にΔだけずらす。図３は、基準となるずらす寸法のΔが０．０ｍｍの場合のアンテナ特性を示し、（ａ）はＶＳＷＲ特性図であり、（ｂ）はスミスチャートである。そして、誘電体基材２２、２２の上側の１つの略コ字状の部材をΔが０．１ｍｍだけ外側に拡大するようにずらすと、図４に示す（ａ）のＶＳＷＲ特性図および（ｂ）のスミスチャートのごとく、共振周波数が少し高い方にずれるとともにインピーダンスが左回りの反時計回りに変化する。さらに、誘電体基材２２、２２の上側の１つの略コ字状の部材をΔが０．３ｍｍとなるように外側に大きく拡大するようにずらすと、図５に示す（ａ）のＶＳＷＲ特性図および（ｂ）のスミスチャートのごとく、共振周波数がさらに高い方にずれるとともにインピーダンスがさらに左回りの反時計回りに大きく変化する。また、誘電体基材２２、２２の上側の１つの略コ字状の部材を、放射電極１４の中央位置ｐと給電端子１６を通る方向で、逆方向にΔが−０．１ｍｍだけ内側に狭めるようにずらすと、図６に示す（ａ）のＶＳＷＲ特性図および（ｂ）のスミスチャートのごとく、図３に示す基準よりも、共振周波数が少し低い方にずれるとともにインピーダンスが右回りの時計回りに変化する。さらに、誘電体基材２２、２２の上側の１つの略コ字状の部材をΔが−０．３ｍｍとなるように内側に大きく狭めるようにずらすと、図７に示す（ａ）のＶＳＷＲ特性図および（ｂ）のスミスチャートのごとく、共振周波数がさらに低い方にずれるとともにインピーダンスがさらに右回りの時計回りに大きく変化する。これらの共振周波数の変化を示した表が図８であり、ｆＬはアンテナ装置の２つの共振周波数のうちの低い方の共振周波数であり、ｆＨは２つの共振周波数のうちの高い方の共振周波数であり、ｆ０は２つの共振周波数の平均周波数である。この図８をグラフにしたものが図９である。図９から明らかなように、誘電体基材２２、２２の上側の１つの略コ字状の部材を、外側に拡大するようにずらすほど共振周波数は高くなり、内側に狭めるようにずらすほど共振周波数は低いものとなる。もって、誘電体基材２２、２２の上側の１つの略コ字状の部材を、放射電極１４の中央位置ｐと給電端子１６を通る方向に適宜にずらすことで、共振周波数を簡単に調整することができる。
【００１１】
また、第１実施例の別の調整方法について説明する。図１０は、放射電極１４と誘電体基材２２、２２を上から見た図であり、共振周波数を別の方法で調整するために位置をずらす誘電体基材２２、２２の略コ字状の部材を示す。図１０に示すごとく、放射電極１４の中央位置ｐと給電端子１６を通る方向で、誘電体基材２２、２２の給電端子１６が設けられた側の１つの略コ字状の部材（図１０において、下側の略コ字状の部材）を、放射電極１４の中央位置ｐと給電端子１６を通る方向にΔだけずらす。基準となるずらす寸法のΔが０．０ｍｍの場合のアンテナ特性は、図３に示すものと同じである。そして、誘電体基材２２、２２の下側の１つの略コ字状の部材をΔが０．１ｍｍだけ外側に拡大するようにずらすと、図１１に示す（ａ）のＶＳＷＲ特性図および（ｂ）のスミスチャートのごとく、共振周波数が少し高い方にずれるとともにインピーダンスが左回りの反時計回りに変化する。さらに、誘電体基材２２、２２の下側の１つの略コ字状の部材をΔが０．３ｍｍとなるように外側に大きく拡大するようにずらすと、図１２に示す（ａ）のＶＳＷＲ特性図および（ｂ）のスミスチャートのごとく、共振周波数がさらに高い方にずれるとともにインピーダンスがさらに左回りの反時計回りに大きく変化する。また、誘電体基材２２、２２の下側の１つの略コ字状の部材を、放射電極１４の中央位置ｐと給電端子１６を通る方向で、逆方向にΔが−０．１ｍｍだけ内側に狭めるようにずらすと、図１３に示す（ａ）のＶＳＷＲ特性図および（ｂ）のスミスチャートのごとく、図３に示す基準よりも、共振周波数が少し低い方にずれるとともにインピーダンスが右回りの時計回りに変化する。さらに、誘電体基材２２、２２の下側の１つの略コ字状の部材をΔが−０．３ｍｍとなるように内側に大きく狭めるようにずらすと、図１４に示す（ａ）のＶＳＷＲ特性図および（ｂ）のスミスチャートのごとく、共振周波数がさらに低い方にずれるとともにインピーダンスがさらに右回りの時計回りに大きく変化する。これらの共振周波数の変化を示した表が図１５であり、ｆＬはアンテナ装置の２つの共振周波数のうちの低い方の共振周波数であり、ｆＨは２つの共振周波数のうちの高い方の共振周波数であり、ｆ０は２つの共振周波数の平均周波数である。この図１５をグラフにしたものが図１６である。図１６から明らかなように、誘電体基材２２、２２の下側の１つの略コ字状の部材を、外側に拡大するようにずらすほど共振周波数は高くなり、内側に狭めるようにずらすほど共振周波数は低いものとなる。もって、誘電体基材２２、２２の下側の１つの略コ字状の部材を、放射電極１４の中央位置ｐと給電端子１６を通る方向に適宜にずらすことで、共振周波数を簡単に調整することができる。
【００１２】
さらに、第１実施例の他の調整方法について説明する。図１７は、放射電極１４と誘電体基材２２、２２を上から見た図であり、共振周波数を他の方法で調整するために位置をずらす誘電体基材２２、２２の略コ字状の部材を示す。図１７に示すごとく、放射電極１４の中央位置ｐと給電端子１６を通る方向で、誘電体基材２２、２２の給電端子１６が設けられた側とその反対側の双方の２つの略コ字状の部材（図１７において、上側と下側の略コ字状の部材）を、放射電極１４の中央位置ｐと給電端子１６を通る方向にそれぞれΔ／２だけずらす。基準となる合計のずらす寸法のΔが０．０ｍｍの場合のアンテナ特性は、図３に示すものと同じである。そして、誘電体基材２２、２２の上側と下側の２つの略コ字状の部材をそれぞれに０．１ｍｍずつでΔが０．２ｍｍとなるように外側に拡大するようにずらすと、図１８に示す（ａ）のＶＳＷＲ特性図および（ｂ）のスミスチャートのごとく、共振周波数が少し高い方にずれるとともにインピーダンスが左回りの反時計回りに変化する。さらに、誘電体基材２２、２２の上側と下側の２つの略コ字状の部材をそれぞれに０．３ｍｍずつでΔが０．６ｍｍとなるように外側に大きく拡大するようにずらすと、図１９に示す（ａ）のＶＳＷＲ特性図および（ｂ）のスミスチャートのごとく、共振周波数がさらに高い方にずれるとともにインピーダンスがさらに左回りの反時計回りに大きく変化する。また、誘電体基材２２、２２の上側と下側の２つの略コ字状の部材を、放射電極１４の中央位置ｐと給電端子１６を通る方向で、逆方向にそれぞれに−０．１ｍｍずつでΔが−０．２ｍｍだけ内側に狭めるようにずらすと、図２０に示す（ａ）のＶＳＷＲ特性図および（ｂ）のスミスチャートのごとく、図３に示す基準よりも、共振周波数が少し低い方にずれるとともにインピーダンスが右回りの時計回りに変化する。さらに、誘電体基材２２、２２の上側と下側の２つの略コ字状の部材をそれぞれに−０．３ｍｍずつでΔが−０．６ｍｍとなるように内側に大きく狭めるようにずらすと、図２１に示す（ａ）のＶＳＷＲ特性図および（ｂ）のスミスチャートのごとく、共振周波数がさらに低い方にずれるとともにインピーダンスがさらに右回りの時計回りに大きく変化する。これらの共振周波数の変化を示した表が図２２であり、ｆＬはアンテナ装置の２つの共振周波数のうちの低い方の共振周波数であり、ｆＨは２つの共振周波数のうちの高い方の共振周波数であり、ｆ０は２つの共振周波数の平均周波数である。この図２２をグラフにしたものが図２３である。図２３から明らかなように、誘電体基材２２、２２の上側と下側の２つの略コ字状の部材を、それぞれに外側に拡大するようにずらすほど共振周波数は高くなり、それぞれに内側に狭めるようにずらすほど共振周波数は低いものとなる。もって、誘電体基材２２、２２の上側と下側の２つの略コ字状の部材を、放射電極１４の中央位置ｐと給電端子１６を通る方向に適宜にずらすことで、共振周波数を簡単に調整することができる。
【００１３】
次に、本発明のアンテナ装置の調整方法の第２実施例で用いるアンテナ装置につき、図２４を参照して説明する。図２４は、第２実施例で用いるアンテナ装置の外観斜視図である。
【００１４】
図２４に示す第２実施例で用いるアンテナ装置は、ＧＮＤ電極としての導電体ベース１０の上に、偏平で上から見て外形が全体として略矩形でその中央部に空きスペースが設けられた環状で、しかも上から見て２つに分割されて２つの対向する略コ字状とされて対向する端部の間に間隔を設けて誘電体基材２２、２２が配設される。そして、略矩形の放射電極１４は、略矩形の１つの対角線の対向する２つの隅が面取り状に僅かに切り落とされ、放射電極１４の中央位置ｐより１つの辺側にずらして給電端子１６が設けられて、放射電極１４の対角線方向が電流の励振方向となるように構成されている。この放射電極１４が、その辺が誘電体基材２２、２２の全体で略矩形の辺と略平行となるようにして、誘電体基材２２、２２の２つの略コ字状の上面で放射電極１４の周辺部を略環状に支持するように配設される。そして、放射電極１４の中央位置ｐと給電端子１６を通る方向と直交する方向の放射電極１４の２つの辺を支持するように誘電体基材２２、２２の略コ字状の部材が配設されている、点で第１実施例で用いる構造と相違する。なお、誘電体基材２２、２２の略コ字状の部材の寸法は、一例として、略コ字状の中央部材が３０．０ｍｍで両側部材が１２．５ｍｍで、対向する略コ字状の端部の間の間隔が５．０ｍｍで、第１実施例で用いる構造と同じである。
【００１５】
かかる構造のアンテナ装置を用いて、第２実施例の調整方法について説明する。図２５は、放射電極１４と誘電体基材２２、２２を上から見た図であり、共振周波数を調整するために位置をずらす誘電体基材２２、２２の略コ字状の部材を示す。図２５に示すごとく、放射電極１４の中央位置ｐと給電端子１６を通る方向と直交する方向で、誘電体基材２２、２２の１つの略コ字状の部材（図２５において、左側の略コ字状の部材）を、放射電極１４の中央位置ｐと給電端子１６を通る方向と直交する方向にΔだけずらす。図２６は、基準となるずらす寸法のΔが０．０ｍｍの場合のアンテナ特性を示し、（ａ）はＶＳＷＲ特性図であり、（ｂ）はスミスチャートである。そして、誘電体基材２２、２２の左側の１つの略コ字状の部材をΔが０．１ｍｍだけ外側に拡大するようにずらすと、図２７に示す（ａ）のＶＳＷＲ特性図および（ｂ）のスミスチャートのごとく、共振周波数が少し高い方にずれるとともにインピーダンスが右回りの時計回りに変化する。さらに、誘電体基材２２、２２の左側の１つの略コ字状の部材をΔが０．３ｍｍとなるように外側に大きく拡大するようにずらすと、図２８に示す（ａ）のＶＳＷＲ特性図および（ｂ）のスミスチャートのごとく、共振周波数がさらに高い方にずれるとともにインピーダンスがさらに右回りの時計回りに大きく変化する。また、誘電体基材２２、２２の左側の１つの略コ字状の部材を、放射電極１４の中央位置ｐと給電端子１６を通る方向と直交する方向で、逆方向にずらす寸法のΔが−０．１ｍｍだけ内側に狭めるようにずらすと、図２９に示す（ａ）のＶＳＷＲ特性図および（ｂ）のスミスチャートのごとく、図２６に示す基準よりも、共振周波数が少し低い方にずれるとともにインピーダンスが左回りの反時計回りに変化する。さらに、誘電体基材２２、２２の左側の１つの略コ字状の部材をΔが−０．３ｍｍとなるように内側に大きく狭めるようにずらすと、図３０に示す（ａ）のＶＳＷＲ特性図および（ｂ）のスミスチャートのごとく、共振周波数がさらに低い方にずれるとともにインピーダンスがさらに左回りの反時計回りに大きく変化する。これらの共振周波数の変化を示した表が図３１であり、ｆＬはアンテナ装置の２つの共振周波数のうちの低い方の共振周波数であり、ｆＨは２つの共振周波数のうちの高い方の共振周波数であり、ｆ０は２つの共振周波数の平均周波数である。この図３１をグラフにしたものが図３２である。図３２から明らかなように、第１実施例と同様に、誘電体基材２２、２２の左側の１つの略コ字状の部材を、外側に拡大するようにずらすほど共振周波数は高くなり、内側に狭めるようにずらすほど共振周波数は低いものとなる。しかし、インピーダンスの変化は、第１実施例とは反対の方向に変化する。もって、誘電体基材２２、２２の左側の１つの略コ字状の部材を、放射電極１４の中央位置ｐと給電端子１６を通る方向と直交する方向に適宜にずらすことで、共振周波数を簡単に調整することができる。しかも、インピーダンスの変化は、第１実施例と反対方向に変化する。
【００１６】
また、第２実施例の別の調整方法について説明する。図３３は、放射電極１４と誘電体基材２２、２２を上から見た図であり、共振周波数を別の方法で調整するために位置をずらす誘電体基材２２、２２の略コ字状の部材を示す。図３３に示すごとく、放射電極１４の中央位置ｐと給電端子１６を通る方向と直交する方向で、誘電体基材２２、２２の１つの略コ字状の部材（図３３において、右側の略コ字状の部材）を、放射電極１４の中央位置ｐと給電端子１６を通る方向にΔだけずらす。基準となるずらす寸法のΔが０．０ｍｍの場合のアンテナ特性は、図２６に示すものと同じである。そして、誘電体基材２２、２２の右側の１つの略コ字状の部材をΔが０．１ｍｍだけ外側に拡大するようにずらすと、図３４に示す（ａ）のＶＳＷＲ特性図および（ｂ）のスミスチャートのごとく、共振周波数が少し高い方にずれるとともにインピーダンスが右回りの時計回りに変化する。さらに、誘電体基材２２、２２の右側の１つの略コ字状の部材をΔが０．３ｍｍとなるように外側に大きく拡大するようにずらすと、図３５に示す（ａ）のＶＳＷＲ特性図および（ｂ）のスミスチャートのごとく、共振周波数がさらに高い方にずれるとともにインピーダンスがさらに右回りの時計回りに大きく変化する。また、誘電体基材２２、２２の右側の１つの略コ字状の部材を、放射電極１４の中央位置ｐと給電端子１６を通る方向と直交する方向で、逆方向にΔが−０．１ｍｍだけ内側に狭めるようにずらすと、図３６に示す（ａ）のＶＳＷＲ特性図および（ｂ）のスミスチャートのごとく、図２６に示す基準よりも、共振周波数が少し低い方にずれるとともにインピーダンスが左回りの反時計回りに変化する。さらに、誘電体基材２２、２２の右側の１つの略コ字状の部材をΔが−０．３ｍｍとなるように内側に大きく狭めるようにずらすと、図３７に示す（ａ）のＶＳＷＲ特性図および（ｂ）のスミスチャートのごとく、共振周波数がさらに低い方にずれるとともにインピーダンスがさらに左回りの反時計回りに大きく変化する。これらの共振周波数の変化を示した表が図３８であり、ｆＬはアンテナ装置の２つの共振周波数のうちの低い方の共振周波数であり、ｆＨは２つの共振周波数のうちの高い方の共振周波数であり、ｆ０は２つの共振周波数の平均周波数である。この図３８をグラフにしたものが図３９である。図３９から明らかなように、誘電体基材２２、２２の右側の１つの略コ字状の部材を、外側に拡大するようにずらすほど共振周波数は高くなり、内側に狭めるようにずらすほど共振周波数は低いものとなる。もって、誘電体基材２２、２２の右側の１つの略コ字状の部材を、放射電極１４の中央ｐと給電端子１６を通る方向と直交する方向に適宜にずらすことで、共振周波数を簡単に調整することができる。しかも、インピーダンスの変化は、第１実施例と反対方向に変化する。
【００１７】
さらに、第２実施例の他の調整方法について説明する。図４０は、放射電極１４と誘電体基材２２、２２を上から見た図であり、共振周波数を他の方法で調整するために位置をずらす誘電体基材２２、２２の略コ字状の部材を示す。図４０に示すごとく、放射電極１４の中央位置ｐと給電端子１６を通る方向と直交する方向で、誘電体基材２２、２２の２つの略コ字状の部材（図４０において、左側と右側の双方の略コ字状の部材）を、放射電極１４の中央位置ｐと給電端子１６を通る方向と直交する方向にそれぞれΔ／２だけずらす。基準となるずらす寸法のΔが０．０ｍｍの場合のアンテナ特性は、図２６に示すものと同じである。そして、誘電体基材２２、２２の上側と下側の２つの略コ字状の部材をそれぞれに０．１ｍｍずつでΔが０．２ｍｍとなるように外側に拡大するようにずらすと、図４１に示す（ａ）のＶＳＷＲ特性図および（ｂ）のスミスチャートのごとく、共振周波数が少し高い方にずれるとともにインピーダンスが右回りの時計回りに変化する。さらに、誘電体基材２２、２２の左側と右側の２つの略コ字状の部材をそれぞれに０．３ｍｍずつでΔが０．６ｍｍとなるように外側に大きく拡大するようにずらすと、図４２に示す（ａ）のＶＳＷＲ特性図および（ｂ）のスミスチャートのごとく、共振周波数がさらに高い方にずれるとともにインピーダンスがさらに右回りの時計回りに大きく変化する。また、誘電体基材２２、２２の左側と右側の２つの略コ字状の部材を、放射電極１４の中央位置ｐと給電端子１６を通る方向と直交する方向で、逆方向にそれぞれに−０．１ｍｍずつでΔが−０．２ｍｍだけ内側に狭めるようにずらすと、図４３に示す（ａ）のＶＳＷＲ特性図および（ｂ）のスミスチャートのごとく、図２６に示す基準よりも、共振周波数が少し低い方にずれるとともにインピーダンスが左回りの反時計回りに変化する。さらに、誘電体基材２２、２２の左側と右側の２つの略コ字状の部材をそれぞれに−０．３ｍｍずつでΔが−０．６ｍｍとなるように内側に大きく狭めるようにずらすと、図４４に示す（ａ）のＶＳＷＲ特性図および（ｂ）のスミスチャートのごとく、共振周波数がさらに低い方にずれるとともにインピーダンスがさらに左回りの反時計回りに大きく変化する。これらの共振周波数の変化を示した表が図４５であり、ｆＬはアンテナ装置の２つの共振周波数のうちの低い方の共振周波数であり、ｆＨは２つの共振周波数のうちの高い方の共振周波数であり、ｆ０は２つの共振周波数の平均周波数である。この図４５をグラフにしたものが図４６である。図４６から明らかなように、誘電体基材２２、２２の左側と右側の２つの略コ字状の部材を、それぞれに外側に拡大するようにずらすほど共振周波数は高くなり、それぞれに内側に狭めるようにずらすほど共振周波数は低いものとなる。もって、誘電体基材２２、２２の左側と右側の２つの略コ字状の部材を、放射電極１４の中央位置ｐと給電端子１６を通る方向と直交する方向に適宜にずらすことで、共振周波数を簡単に調整することができる。しかも、インピーダンスの変化は、第１実施例と反対方向に変化する。
【００１８】
なお、上記実施例に用いるアンテナ装置の放射電極１４は、略矩形の１つの対角線の対向する２つの隅が面取り状に僅かに切り落とされているが、これに限られず、略矩形の１つの対角線の１つの隅が面取り状に僅かに切り落とされていても良く、放射電極１４の対角線方向が電流の励振方向となるように構成されていれば良い。
【図面の簡単な説明】
【００１９】
【図１】第１実施例で用いるアンテナ装置の外観斜視図である。
【図２】第１実施例で、放射電極と誘電体基材を上から見た図であり、共振周波数を調整するために位置をずらす誘電体基材の略コ字状の部材を示す。
【図３】図２の調整で、基準となるずらす寸法のΔが０．０ｍｍの場合のアンテナ特性を示し、（ａ）はＶＳＷＲ特性図であり、（ｂ）はスミスチャートである。
【図４】図２の調整で、Δが０．１ｍｍの場合のアンテナ特性を示し、（ａ）はＶＳＷＲ特性図であり、（ｂ）はスミスチャートである。
【図５】図２の調整で、Δが０．３ｍｍの場合のアンテナ特性を示し、（ａ）はＶＳＷＲ特性図であり、（ｂ）はスミスチャートである。
【図６】図２の調整で、Δが−０．１ｍｍの場合のアンテナ特性を示し、（ａ）はＶＳＷＲ特性図であり、（ｂ）はスミスチャートである。
【図７】図２の調整で、Δが−０．３ｍｍの場合のアンテナ特性を示し、（ａ）はＶＳＷＲ特性図であり、（ｂ）はスミスチャートである。
【図８】図２の調整で、共振周波数の変化を示した表である。
【図９】図８の表をグラフにした図である。
【図１０】第１実施例で、放射電極と誘電体基材を上から見た図であり、共振周波数を別の方法で調整するために位置をずらす誘電体基材の略コ字状の部材を示す
【図１１】図１０の別の方法による調整で、ずらす寸法のΔが０．１ｍｍの場合のアンテナ特性を示し、（ａ）はＶＳＷＲ特性図であり、（ｂ）はスミスチャートである。
【図１２】図１０の別の方法による調整で、Δが０．３ｍｍの場合のアンテナ特性を示し、（ａ）はＶＳＷＲ特性図であり、（ｂ）はスミスチャートである。
【図１３】図１０の別の方法による調整で、Δが−０．１ｍｍの場合のアンテナ特性を示し、（ａ）はＶＳＷＲ特性図であり、（ｂ）はスミスチャートである。
【図１４】図１０の別の方法による調整で、Δが−０．３ｍｍの場合のアンテナ特性を示し、（ａ）はＶＳＷＲ特性図であり、（ｂ）はスミスチャートである。
【図１５】図１０の別の方法による調整で、共振周波数の変化を示した表である。
【図１６】図１５の表をグラフにした図である。
【図１７】第１実施例で、放射電極と誘電体基材を上から見た図であり、共振周波数を他の方法で調整するために位置をずらす誘電体基材の略コ字状の部材を示す
【図１８】図１７の他の方法による調整で、全体でずらす寸法のΔが０．２ｍｍの場合のアンテナ特性を示し、（ａ）はＶＳＷＲ特性図であり、（ｂ）はスミスチャートである。
【図１９】図１７の他の方法による調整で、Δが０．６ｍｍの場合のアンテナ特性を示し、（ａ）はＶＳＷＲ特性図であり、（ｂ）はスミスチャートである。
【図２０】図１７の他の方法による調整で、Δが−０．２ｍｍの場合のアンテナ特性を示し、（ａ）はＶＳＷＲ特性図であり、（ｂ）はスミスチャートである。
【図２１】図１７の他の方法による調整で、Δが−０．６ｍｍの場合のアンテナ特性を示し、（ａ）はＶＳＷＲ特性図であり、（ｂ）はスミスチャートである。
【図２２】図１７の他の方法による調整で、共振周波数の変化を示した表である。
【図２３】図２２の表をグラフにした図である。
【図２４】第２実施例で用いるアンテナ装置の外観斜視図である。
【図２５】第２実施例で、放射電極と誘電体基材を上から見た図であり、共振周波数を調整するために位置をずらす誘電体基材の略コ字状の部材を示す
【図２６】図２５の調整で、基準となるずらす寸法のΔが０．０ｍｍの場合のアンテナ特性を示し、（ａ）はＶＳＷＲ特性図であり、（ｂ）はスミスチャートである。
【図２７】図２５の調整で、Δが０．１ｍｍの場合のアンテナ特性を示し、（ａ）はＶＳＷＲ特性図であり、（ｂ）はスミスチャートである。
【図２８】図２５の調整で、Δが０．３ｍｍの場合のアンテナ特性を示し、（ａ）はＶＳＷＲ特性図であり、（ｂ）はスミスチャートである。
【図２９】図２５の調整で、Δが−０．１ｍｍの場合のアンテナ特性を示し、（ａ）はＶＳＷＲ特性図であり、（ｂ）はスミスチャートである。
【図３０】図２５の調整で、Δが−０．３ｍｍの場合のアンテナ特性を示し、（ａ）はＶＳＷＲ特性図であり、（ｂ）はスミスチャートである。
【図３１】図２５の調整で、共振周波数の変化を示した表である。
【図３２】図３１の表をグラフにした図である。
【図３３】第２実施例で、放射電極と誘電体基材を上から見た図であり、共振周波数を別の方法で調整するために位置をずらす誘電体基材の略コ字状の部材を示す
【図３４】図３３の別の方法による調整で、ずらす寸法のΔが０．１ｍｍの場合のアンテナ特性を示し、（ａ）はＶＳＷＲ特性図であり、（ｂ）はスミスチャートである。
【図３５】図３３の別の方法による調整で、Δが０．３ｍｍの場合のアンテナ特性を示し、（ａ）はＶＳＷＲ特性図であり、（ｂ）はスミスチャートである。
【図３６】図３３の別の方法による調整で、Δが−０．１ｍｍの場合のアンテナ特性を示し、（ａ）はＶＳＷＲ特性図であり、（ｂ）はスミスチャートである。
【図３７】図３３の別の方法による調整で、Δが−０．３ｍｍの場合のアンテナ特性を示し、（ａ）はＶＳＷＲ特性図であり、（ｂ）はスミスチャートである。
【図３８】図３３の別の方法による調整で、共振周波数の変化を示した表である。
【図３９】図３８の表をグラフにした図である。
【図４０】第２実施例で、放射電極と誘電体基材を上から見た図であり、共振周波数を他の方法で調整するために位置をずらす誘電体基材の略コ字状の部材を示す
【図４１】図４０の他の方法による調整で、全体でずらす寸法のΔが０．２ｍｍの場合のアンテナ特性を示し、（ａ）はＶＳＷＲ特性図であり、（ｂ）はスミスチャートである。
【図４２】図４０の他の方法による調整で、Δが０．６ｍｍの場合のアンテナ特性を示し、（ａ）はＶＳＷＲ特性図であり、（ｂ）はスミスチャートである。
【図４３】図４０の他の方法による調整で、Δが−０．２ｍｍの場合のアンテナ特性を示し、（ａ）はＶＳＷＲ特性図であり、（ｂ）はスミスチャートである。
【図４４】図４０の他の方法による調整で、Δが−０．６ｍｍの場合のアンテナ特性を示し、（ａ）はＶＳＷＲ特性図であり、（ｂ）はスミスチャートである。
【図４５】図４０の他の方法による調整で、共振周波数の変化を示した表である。
【図４６】図４５の表をグラフにした図である。
【図４７】従来の平面型のアンテナ装置の外観斜視図である。
【符号の説明】
【００２０】
１０  導電体ベース
１２、２２  誘電体基材
１４  放射電極
１６  給電端子
ｐ  中央位置
【図１】
2010148054.tif 000003
【図２】
2010148054.tif 000004
【図３】
2010148054.tif 000005
【図４】
2010148054.tif 000006
【図５】
2010148054.tif 000007
【図６】
2010148054.tif 000008
【図７】
2010148054.tif 000009
【図８】
2010148054.tif 000010
【図９】
2010148054.tif 000011
【図１０】
2010148054.tif 000012
【図１１】
2010148054.tif 000013
【図１２】
2010148054.tif 000014
【図１３】
2010148054.tif 000015
【図１４】
2010148054.tif 000016
【図１５】
2010148054.tif 000017
【図１６】
2010148054.tif 000018
【図１７】
2010148054.tif 000019
【図１８】
2010148054.tif 000020
【図１９】
2010148054.tif 000021
【図２０】
2010148054.tif 000022
【図２１】
2010148054.tif 000023
【図２２】
2010148054.tif 000024
【図２３】
2010148054.tif 000025
【図２４】
2010148054.tif 000026
【図２５】
2010148054.tif 000027
【図２６】
2010148054.tif 000028
【図２７】
2010148054.tif 000029
【図２８】
2010148054.tif 000030
【図２９】
2010148054.tif 000031
【図３０】
2010148054.tif 000032
【図３１】
2010148054.tif 000033
【図３２】
2010148054.tif 000034
【図３３】
2010148054.tif 000035
【図３４】
2010148054.tif 000036
【図３５】
2010148054.tif 000037
【図３６】
2010148054.tif 000038
【図３７】
2010148054.tif 000039
【図３８】
2010148054.tif 000040
【図３９】
2010148054.tif 000041
【図４０】
2010148054.tif 000042
【図４１】
2010148054.tif 000043
【図４２】
2010148054.tif 000044
【図４３】
2010148054.tif 000045
【図４４】
2010148054.tif 000046
【図４５】
2010148054.tif 000047
【図４６】
2010148054.tif 000048
【図４７】
2010148054.tif 000049